(57)【要約】      （修正有）【課題】電車等に乗車中に、手で支持していなくとも傘が倒れないように支持しうる傘支持具を提供する。【解決手段】傘に脱着可能に保持しうる第一の係合部材１２と、傘を保持する人の着用品に対し脱着可能に接合しうる第二の係合部材１３と、上記第一の係合部材と上記第二の係合部材とを繋ぐ連結部材１４とを有する。上記連結部材は伸縮可能に形成されている。上記連結部材は径の異なる複数の構成部が径の大小順に連続的に配置されて構成され、互いに隣接する構成部は小径構成部が大径構成部に対し出没可能に形成されている。上記第一の係合部材と上記第二の係合部材は、開閉可能な把持部を有するクリップ１７ａ，１７ｂに形成され、上記把持部はバネにより閉方向へ付勢されている。【選択図】図１
0003113960.tif 000002
【実用新案登録請求の範囲】
【請求項１】
傘に脱着可能に保持しうる第一の係合部材と、傘を保持する人の着用品に対し脱着可能に接合しうる第二の係合部材と、上記第一の係合部材と上記第二の係合部材とを繋ぐ連結部材とを有することを特徴とする傘支持具。
【請求項２】
上記連結部材は伸縮可能に形成されていることを特徴とする請求項１記載の傘支持具。
【請求項３】
上記連結部材は径の異なる複数の構成部が径の大小順に連続的に配置されて構成され、互いに隣接する構成部は小径構成部が大径構成部に対し出没可能に形成されていることを特徴とする請求項２記載の傘支持具。
【請求項４】
上記第一の係合部材と上記第二の係合部材は同一の構造を有することを特徴とする請求項１〜３記載の傘支持具。
【請求項５】
上記第一の係合部材と上記第二の係合部材は、開閉可能な把持部を有するクリップに形成され、上記把持部はバネにより閉方向へ付勢されていることを特徴とする請求項１〜４記載の傘支持具。
【請求項６】
上記クリップは、上記把持部が略半円状に湾曲した一対のクリップ片により構成されていることを特徴とする請求項５記載の傘支持具。
【請求項７】
上記クリップは、基板と、上記基板に対し把持部が開閉可能なクリップ板とを有し、上記基板は平板状に形成され、上記クリップ板は、上記基板に対し傾斜するように配置された摘み部を有すると共に、上記把持部は湾曲した略半円状に形成されていることを特徴とする請求項５記載の傘支持具。
【請求項８】
上記クリップは上記連結部材の端部において回動可能に設けられていることを特徴とする請求項５〜７記載の傘支持具。
【請求項９】
上記クリップは上記連結部材内に収納可能に形成されていることを特徴とする請求項５〜８記載の傘支持具。
【請求項１０】
上記連結部材はストラップ状部材により形成されていることを特徴とする請求項１又は２記載の傘支持具。
【請求項１１】
上記連結部材は、上記第二の係合部材としても使用可能に形成され、上記ストラップ状部材は傘を保持する人の着用品に対し巻き付けうるように形成されていることを特徴とする請求項１又は２及び請求項１０記載の傘支持具。
【請求項１２】
上記連結部材は、伸縮可能に連結され積層することにより短縮しうる複数枚のカード状部材と、一端の上記カード状部材に接合された中空の箱状部材とにより構成され、上記カード状部材と上記第一の係合部材及び上記第二の係合部材は互いに積層した状態で上記箱状部材の内部に収納しうるように形成されていることを特徴とする請求項２，４又は５記載の傘支持具。
【請求項１３】
上記連結部材は、伸縮可能な蛇腹部を有していることを特徴とする請求項２，４，５，６又は８記載の傘支持具。
【考案の詳細な説明】
【技術分野】
【０００１】
本考案は傘支持具に係り、特に、電車等に乗っている場合に、傘から手を離しても傘を倒れないように支持することができる傘支持具に関する。
【背景技術】
【０００２】
雨が降った日に外出する場合は、殆どの人が傘を携帯するが、電車等に乗る場合は、傘を閉じて、傘が倒れないように、傘の握り部を手で支持し続けなければならず、煩雑である。
【０００３】
従って、電車等に乗車している場合には、片手で傘を支持するため、他方の手のみしか自由に使えないという不自由さがある。通学や通勤に鞄等を携帯する人も多いことから、その場合は、もう一方の片手も鞄等を保持するために使用されるので、両手が自由に使えなくなってしまう。
【０００４】
ところで、郊外から出勤や通学している人も多く、その場合は電車等に乗車している時間が比較的長いので、本や新聞等を読む人が多い。
しかしながら、上記のように、雨の日は、両手が自由に使えなくなることから、本や新聞を手で保持しながら自由に読むことができないという不具合がある。
【０００５】
従って、手で支持していなくとも傘が倒れないように支持しうる用具が強く要望されている。
【０００６】
本出願人は、上記要望に応えうる傘支持具について先行技術を調査したが、関連する先行技術文献を見出すことはできなかった。
【考案の開示】
【考案が解決しようとする課題】
【０００７】
そこで本考案の課題は、電車等に乗車中に、手で支持していなくとも傘が倒れないように支持しうる傘支持具を提供することにある。
【課題を解決するための手段】
【０００８】
上記課題を解決するために、請求項１記載の本考案に係る傘支持具は、傘に脱着可能に保持しうる第一の係合部材と、傘を保持する人の着用品に対し脱着可能に接合しうる第二の係合部材と、上記第一の係合部材と上記第二の係合部材とを繋ぐ連結部材とを有することを特徴とする。
【０００９】
即ち、請求項１記載の本考案に係る傘支持具にあっては、傘を保持する人の着用品に上記第二の係合部材を接合すると共に、上記第一の係合部材により傘を保持すれば、上記連結部材を介し、上記傘は人体の着用品に繋がれた状態となって支持され、倒れずに起立した状態を維持することができる。
【００１０】
また、請求項２記載の本考案に係る傘支持具は、上記連結部材は伸縮可能に形成されていることを特徴とする。
【００１１】
即ち、請求項２記載の本考案に係る傘支持具にあっては、上記連結部材を伸縮させることにより傘と人体との距離を調整し、傘を支持しやすい状態にすることができる。
【００１２】
また、請求項３記載の本考案に係る傘支持具は、上記連結部材は径の異なる複数の構成部が径の大小順に連続的に配置されて構成され、互いに隣接する構成部は小径構成部が大径構成部に対し出没可能に形成されていることを特徴とする。
【００１３】
即ち、請求項３記載の本考案に係る傘支持具にあっては、上記連結部材は径の異なる複数の構成部が径の大小順に連続的に配置されて構成され、かつ、互いに隣接する構成部は小径構成部が大径構成部に対し出没可能に形成されていることから、上記小径構成部を上記大径構成部内に没入させることにより全長を短縮させることができ、逆に、上記小径構成部を上記大径構成部から突出させることにより全長を伸長させることができる。
【００１４】
また、請求項４記載の本考案に係る傘支持具は、上記第一の係合部材と上記第二の係合部材は同一の構造を有することを特徴とする。
【００１５】
即ち、請求項４記載の本考案に係る傘支持具にあっては、上記第一の係合部材と上記第二の係合部材は同一の構造を有することから、上記第一の係合部材と上記第二の係合部材のどちらを用いて傘を保持することもできるし、同じくどちらを用いて人の着用品に接合することもできる。
【００１６】
また、請求項５記載の本考案に係る傘支持具は、上記第一の係合部材と上記第二の係合部材は、開閉可能な把持部を有するクリップに形成され、上記把持部はバネにより閉方向へ付勢されていることを特徴とする。
【００１７】
即ち、請求項５記載の本考案に係る傘支持具にあっては、上記第一の係合部材と上記第二の係合部材はクリップであって、バネの力で把持部を閉じることにより、上記把持部で傘を把持することにより傘を容易に保持することができる。
【００１８】
また、請求項６記載の本考案に係る傘支持具は、上記クリップは、上記把持部が略半円状に湾曲した一対のクリップ片により構成されていることを特徴とする。
【００１９】
即ち、請求項６記載の本考案に係る傘支持具にあっては、上記クリップが、略半円状に湾曲した把持部を有する一対のクリップ片により構成されているため、構造が極めてシンプルである。
【００２０】
また、請求項７記載の本考案に係る傘支持具は、上記クリップは、基板と、上記基板に対し把持部が開閉可能なクリップ板とを有し、上記基板は平板状に形成され、上記クリップ板は、上記基板に対し傾斜するように配置された摘み部を有すると共に、上記把持部は湾曲した略半円状に形成されていることを特徴とする。
【００２１】
即ち、請求項７記載の本考案に係る傘支持具にあっては、上記クリップが基板とクリップ板とにより構成され、上記基板は平板状に形成され、上記クリップ板は、上記基板に対し傾斜するように配置された摘み部を有すると共に、上記把持部は湾曲した略半円状に形成されていることから、傘を把持する場合に傘に接触する面積が大きくなり、固定力が増大する。
【００２２】
また、請求項８記載の本考案に係る傘支持具は、上記クリップは上記連結部材の端部において回動可能に設けられていることを特徴とする。
【００２３】
即ち、請求項８記載の本考案に係る傘支持具にあっては、上記クリップは上記連結部材の端部において回動可能に設けられていることから、上記クリップを回転させることにより把持する向きを変えることができる。
【００２４】
また、請求項９記載の本考案に係る傘支持具は、上記クリップは上記連結部材内に収納可能に形成されていることを特徴とする。
【００２５】
即ち、請求項９記載の本考案に係る傘支持具にあっては、携帯時等に上記クリップを上記連結部材内に収納することにより全長を短縮してコンパクトな形状にし、携帯性を向上させることができる。
【００２６】
また、請求項１０記載の本考案に係る傘支持具は、上記連結部材はストラップ状部材により形成されていることを特徴とする。
【００２７】
即ち、請求項１０記載の本考案に係る傘支持具にあっては、上記連結部材がストラップ状部材により形成されていることから、上記連結部材の構造が極めて簡易で、かつ、柔軟性を有している。
【００２８】
また、請求項１１記載の本考案に係る傘支持具は、上記連結部材は、上記第二の係合部材としても使用可能に形成され、上記ストラップ状部材は傘を保持する人の着用品に対し巻き付けうるように形成されていることを特徴とする。
【００２９】
即ち、請求項１１記載の本考案に係る傘支持具にあっては、上記連結部材は、上記第二の係合部材としても使用可能に形成されていることから、上記第二の係合部材を特に設ける必要がなく、構造をシンプルにすることができる。また、上記ストラップ状部材は傘を保持する人の着用品に対し巻き付けることにより上記第二の係合部材として上記着用品に接合することができる。
【００３０】
また、請求項１２記載の本考案に係る傘支持具は、上記連結部材が、伸縮可能に連結され積層することにより短縮しうる複数枚のカード状部材と、一端の上記カード状部材に接合された中空の箱状部材とにより構成され、上記カード状部材と上記第一の係合部材及び上記第二の係合部材は互いに積層した状態で上記箱状部材の内部に収納しうるように形成されていることを特徴とする。
【００３１】
即ち、請求項１２記載の本考案に係る傘支持具にあっては、上記連結部材が複数枚のカード状部材と中空の箱状部材とにより構成され、上記カード状部材を積層することにより上記連結部材を短縮することができ、又、積層した上記カード状部材には、上記第一の係合部材及び上記第二の係合部材も積層されて、これらが全て上記箱状部材の内部に収納されることになる。従って、不使用時はコンパクトに縮小して携帯することができる。
【００３２】
また、請求項１３記載の本考案に係る傘支持具は、上記連結部材が、伸縮可能な蛇腹部を有していることを特徴とする。
【００３３】
即ち、請求項１３記載の本考案に係る傘支持具にあっては、上記蛇腹部が上記連結部材の構成要素となっており、上記蛇腹部を変形させることにより上記連結部材を伸縮させることができる。
【考案の効果】
【００３４】
請求項１記載の本考案に係る傘支持具は、傘に脱着可能に保持しうる第一の係合部材と、傘を保持する人の着用品に対し脱着可能に接合しうる第二の係合部材と、上記第一の係合部材と上記第二の係合部材とを繋ぐ連結部材とを有することから、上記第一の係合部材により傘を保持すると共に、上記第二の係合部材を人の着用品に接合することにより、上記連結部材を介し、傘を人の着用品に繋いで支持することができる。従って、傘を手で支持していなくとも、傘は支持されるので、手を離しても傘が倒れることがなく、例えば電車等に乗車中に、両手を自由に使用して本や新聞等を読むことが可能となる。
【００３５】
また、請求項２記載の本考案に係る傘支持具は、上記連結部材が伸縮可能に形成されていることから、上記連結部材の長さを伸縮させて自由に調整することができ、使用する人の体格の相違に合わせて調整することができ、使い勝手が良好である。
また、不使用時に上記連結部材を短縮すれば嵩張らないことから、携帯に便利である。
【００３６】
また、請求項３記載の本考案に係る傘支持具は、上記連結部材は径の異なる複数の構成部が径の大小順に連続的に配置されて構成され、互いに隣接する構成部は小径構成部が大径構成部に対し出没可能に形成されていることから、上記連結部材を容易且つ確実に伸縮させることができる。
また、上記連結部材を伸縮させるための構成を簡素化することができ、製造を容易化してコストを低減することができる。
【００３７】
また、請求項４記載の本考案に係る傘支持具は、上記第一の係合部材と上記第二の係合部材が同一の構造を有することから、上記第一の係合部材と上記第二の係合部材のどちらも傘に接合することができ、同じくどちらも人の着用品に対し接合することができるので、接合する場合にどちらの係合部材を使用するかを確認する煩雑がない。従って、使い勝手が良好である。
また、上記第一の係合部材と上記第二の係合部材は同一の構造を有することから、同一のものを２つ製造すれば良く、構造が異なるものを２つ製造する煩雑がないので、コストを低減することができる。
【００３８】
また、請求項５記載の本考案に係る傘支持具は、上記第一の係合部材と上記第二の係合部材が、開閉可能な把持部を有するクリップに形成され、上記把持部はバネにより閉方向へ付勢されていることから、上記第一の係合部材と上記第二の係合部材である上記クリップを傘や人の着用品に対し容易な操作で簡単に着脱することができ、使い勝手が良い。
【００３９】
また、請求項６記載の本考案に係る傘支持具にあっては、上記クリップは、上記把持部が略半円状に湾曲した一対のクリップ片により構成されていることから、上記クリップの構成がシンプルで、容易に低コストで製造することができる。
【００４０】
また、請求項７記載の本考案に係る傘支持具にあっては、上記クリップは、基板と、上記基板に対し把持部が開閉可能なクリップ板とを有し、上記基板は平板状に形成され、上記クリップ板は、上記基板に対し傾斜するように配置された摘み部を有すると共に、上記把持部は湾曲した略半円状に形成されていることから、傘に対する上記基板と上記クリップ板の接触面積を大きくすることができるので、上記基板と上記クリップ板とにより傘を強固に挟み付けることができるので、傘の支持が安定する。
【００４１】
また、請求項８記載の本考案に係る傘支持具は、上記クリップが上記連結部材の端部において回動可能に設けられていることから、上記クリップを回転させて向きを自由に変えられるので、使用者の姿勢や傘の支持状態に拘わらず、傘の握り部や人の着用品に対し接合しやすく、使い勝手が良好である。
【００４２】
また、請求項９記載の本考案に係る傘支持具は、上記クリップが上記連結部材内に収納可能に形成されていることから、不使用時に上記クリップを上記連結部材に収納すれば邪魔にならず、又、コンパクトになるので、携帯や保管に好都合である。
【００４３】
また、請求項１０記載の本考案に係る傘支持具は、上記連結部材がストラップ状部材により形成されていることから、上記連結部材の構造がシンプルになって製造が容易になり、製造コストを低減することができる。
【００４４】
また、請求項１１記載の本考案に係る傘支持具は、上記連結部材が、上記第二の係合部材としても使用可能に形成され、上記ストラップ状部材は傘を保持する人の着用品に対し巻き付けうるように形成されていることから、上記第二の係合部材を特に設ける必要がなく、構造がシンプルになるので、製造コストを低減することができる。
【００４５】
また、請求項１２記載の本考案に係る傘支持具は、上記連結部材が、伸縮可能に連結され積層することにより短縮しうる複数枚のカード状部材と、一端の上記カード状部材に接合された中空の箱状部材とにより構成され、上記カード状部材と上記第一の係合部材及び上記第二の係合部材は互いに積層した状態で上記箱状部材の内部に収納しうるように形成されていることから、不使用時に、上記カード状部材と上記第一の係合部材及び上記第二の係合部材を積層して上記箱状部材の内部に収納することによりコンパクトな形状に変形することができる。従って、嵩張らず携帯性に優れている。
【００４６】
また、請求項１３記載の本考案に係る傘支持具は、上記連結部材が、伸縮可能な蛇腹部を有していることから、上記蛇腹部を変形させることにより、確実に上記連結部材を伸縮させることができ、上記連結部材の伸縮操作が容易である。
【考案を実施するための最良の形態】
【００４７】
以下、図面を用いて本考案の実施の形態について説明する。
本実施の形態に係る傘支持具１１は、図１〜図１２に示すように、傘２０に脱着可能に保持しうる第一の係合部材１２と、傘２０を保持する人の着用品に対し脱着可能に接合しうる第二の係合部材１３と、上記第一の係合部材１２と上記第二の係合部材１３とを繋ぐ連結部材１４とを有している。
また、上記連結部材１４は、図１及び図４〜図１２に示すように、伸縮可能に形成されている。
また、上記連結部材１４は、図１及び図４〜図９に示す実施形態では、径の異なる複数の構成部１５ａ〜１５ｆが径の大小順に連続的に配置されて構成され、互いに隣接する構成部は小径構成部が大径構成部に対し出没可能に形成されている。
また、図１及び図４〜図８及び図１０〜図１１に示す実施形態では、上記第一の係合部材１２と上記第二の係合部材１３は同一の構造を有している。なお、図９及び図１２に示す実施形態では、上記第一の係合部材１２と上記第二の係合部材１３の構造は相違している。
また、図１及び図４〜図１１に示す実施形態では、上記第一の係合部材１２と上記第二の係合部材１３は、開閉可能な把持部１６ａ，１６ｂを有するクリップ１７ａ，１７ｂに形成され、上記把持部１６ａ，１６ｂはバネにより閉方向へ付勢されている。
また、上記クリップ１７ａ，１７ｂは、図１及び図４〜図６及び図９〜図１２に示す実施形態では、上記把持部１６ａ，１６ｂが略半円状に湾曲した一対のクリップ片１８ａ，１８ｂにより構成されている。
また、図７及び図８に示す実施形態では、上記クリップ１７ａは、基板２７と、上記基板２７に対し把持部１６ａが開閉可能なクリップ板２８とを有し、上記基板２７は平板状に形成され、上記クリップ板２８は、上記基板２７に対し傾斜するように配置された摘み部１９ａを有すると共に、上記把持部１６ａは湾曲した略半円状に形成されている。
また、上記クリップ１７ａ，１７ｂは、図４及び図７〜図８に示す実施形態では、上記連結部材１４の端部において回動可能に設けられている。
また、上記クリップ１７ａ，１７ｂは、図５に示す実施形態では、上記連結部材１４内に収納可能に形成されている。
また、上記連結部材１４は、図１０〜図１２に示す実施形態では、ストラップ状部材３０により形成されている。
また、上記連結部材１４は、図１２に示す実施形態では、上記第二の係合部材１３としても使用可能に形成され、上記ストラップ状部材３０は傘を保持する人の着用品に対し巻き付けうるように形成されている。
また、図１３〜図１５に示す実施形態では、上記連結部材１４が、伸縮可能に連結され積層することにより短縮しうる複数枚のカード状部材５１ａ，５１ｂ，５１ｃと、一端の上記カード状部材５１ｃに接合された中空の箱状部材５８とにより構成され、上記カード状部材５１ａ，５１ｂ，５１ｃと上記第一の係合部材１２及び上記第二の係合部材１３は互いに積層した状態で上記箱状部材５８の内部に収納しうるように形成されている。
また、図１６及び図１７に示す実施形態では、上記連結部材１４が、伸縮可能な蛇腹部６１を有している。
【実施例１】
【００４８】
図１〜図３は実施例１に係る傘支持具１１を示したものである。
本実施例１に係る傘支持具１１は、図１に示すように、傘に脱着可能に保持しうる第一の係合部材１２と、傘を保持する人の着用品に対し脱着可能に接合しうる第二の係合部材１３と、上記第一の係合部材１２と上記第二の係合部材１３とを繋ぐ連結部材１４とを有して構成されている。
【００４９】
また、上記連結部材１４は、図１に示すように、伸縮可能に形成されている。
即ち、上記連結部材１４は、平面形状及び断面形状が方形で、中空の、径の異なる複数の構成部１５ａ，１５ｂ，１５ｃ，１５ｄ，１５ｅ，１５ｆが径の大小順に連続的に配置されることにより構成されており、互いに隣接する構成部は小径構成部が大径構成部に対し出没可能に形成されている。
本実施例１に係る上記傘支持具１１は、上記連結部材１４を短縮した場合に、鞄等に収納して携帯しうる大きさに形成されている。
【００５０】
また、本実施例１においては、図１に示すように、上記第一の係合部材１２と上記第二の係合部材１３は同一の構造を有している。
即ち、上記第一の係合部材１２と上記第二の係合部材１３は、開閉可能な把持部１６ａ，１６ｂを有するクリップ１７ａ，１７ｂとして形成され、上記把持部１６ａ，１６ｂはバネ（図示せず）により閉方向へ付勢されている。
【００５１】
上記クリップ１７ａ，１７ｂ、図１に示すように、上記把持部１６ａ，１６ｂが略半円状に湾曲した一対のクリップ片１８ａ，１８ｂと、これらクリップ片１８ａ，１８ｂの交叉部において二つのクリップ片１８ａ，１８ｂを回動可能に接合する軸部４０ａ，４０ｂと、上記クリップ片１８ａ，１８ｂの内縁部に沿って輪状に設けられた弾性部材４１ａ，４１ｂとにより構成されている。なお、上記弾性部材４１ａ，４１ｂの表面には防水性樹脂がコーティングされている。
また、上記クリップ片１８ａ，１８ｂは上記把持部１６ａ，１６ｂの他に、指で摘んで内方へ押圧することにより上記軸部４０ａ，４０ｂを回動中心として上記把持部１６ａ，１６ｂを開くことができる摘み部１９ａ，１９ｂを有している。
【００５２】
図２及び図３は上記傘支持具１１の使用状態を示している。
即ち、上記第一の係合部材１２としての先端部側の上記クリップ１７ａは、傘２０の握り部２１を把持することにより上記傘２０を保持することができ、又、上記第二の係合部材１３としての基端部側の上記クリップ１７ｂは、上記傘２０を保持する人の着用品としてのズボンのベルト通し２２に接合することができる。この場合、上記連結部材１４は伸長され、身体の高さ方向に沿って縦向きに配置され、上記クリップ１７ａ，１７ｂは上記連結部材１４に対し直交するように折曲されて傘２０の握り部２１とズボンのベルト通し２２とに接合することができる。
なお、上記第二の係合部材１３としての上記クリップ１７ｂは、衣服のボタンホールなどに接合することも可能である。
また、上記クリップ片１８ａ，１８ｂの内縁部に沿って輪状に設けられた弾性部材４１ａ，４１ｂにより、傘２０の握り部２１の太さが異なる場合でも対応することができ、上記握り部２１が細い場合でも弛まないように確実に把持することができる。
また、上記クリップ片１８ａ，１８ｂは、上記握り部２１の代わりに傘２０の覆布部４２を把持することも可能である。その場合、上記弾性部材４１ａ，４１ｂは表面に防水性樹脂がコーティングされているので、上記覆布部４２が濡れていても支障はない。
図２に示すように、人が立った状態でも、上記傘２０を倒れないように支持することができ、両手は解放することができる。
また、図３に示すように、人が座席２３に座って膝の上に鞄２４を載置したような状態でも、上記鞄２４の上方に上記連結部材１４を配置することにより、上記傘２０を人体に繋いで倒れないように支持することができ、両手を解放することができる。
【実施例２】
【００５３】
図４は実施例２に係る傘支持具１１を示したものである。
本実施例２に係る傘支持具１１も、傘に脱着可能に保持しうる第一の係合部材１２と、傘を保持する人の着用品に対し脱着可能に接合しうる第二の係合部材（図示は省略）と、上記第一の係合部材１２と上記第二の係合部材１３とを繋ぐ連結部材１４とを有し、上記連結部材１４は伸縮可能に構成されている。
即ち、本実施例２に係る傘支持具１１は、図１に示した上記実施例１の傘支持具１１と基本的な構造は同一であり、また、使用方法も同一である。従って、重複を避けるため相違点についてのみ図示して説明する。
まず、本実施例２に係る傘支持具１１は、図４に示すように、連結部材１４を構成する各構成部１５ａ，１５ｂは、断面形状が楕円形に形成されている。
【００５４】
また、上記第一の係合部材１２及び上記第二の係合部材である上記クリップ１７ａは、図４に示すように、上記連結部材１４に対しユニバーサルジョイント２５を介し回動可能に連結されている。従って、上記クリップ１７ａは上記把持部１６ａの向きを自由に変化させることができる。
【実施例３】
【００５５】
図５は実施例３に係る傘支持具１１を示したものである。
本実施例３に係る傘支持具１１も、傘に脱着可能に保持しうる第一の係合部材１２と、傘を保持する人の着用品に対し脱着可能に接合しうる第二の係合部材１３と、上記第一の係合部材１２と上記第二の係合部材１３とを繋ぐ連結部材１４とを有し、上記連結部材１４は伸縮可能に構成されている。
即ち、本実施例３に係る傘支持具１１は、図１に示した上記実施例１の傘支持具１１と基本的な構造は同一であり、また、使用方法も同一である。従って、重複を避けるため相違点についてのみ図示して説明する。
本実施例３に係る傘支持具１１は、図５に示すように、上記連結部材１４において両端部に配置される構成部１５ａ，１５ｆには中空部２６ａ，２６ｂが形成され、上記構成部１５ａ及び１５ｆに連結される上記クリップ１７ａ及び１７ｂは、上記連結部材１４を短縮した状態において、上記構成部１５ａ及び１５ｆにおける上記中空部２６ａ，２６ｂ内に収納可能に構成されている。
【実施例４】
【００５６】
図６は実施例４に係る傘支持具１１を示したものである。
本実施例４に係る傘支持具１１も、傘に脱着可能に保持しうる第一の係合部材１２と、傘を保持する人の着用品に対し脱着可能に接合しうる第二の係合部材（図示は省略）と、上記第一の係合部材１２と上記第二の係合部材とを繋ぐ連結部材１４とを有し、上記連結部材１４は伸縮可能に構成されている。
即ち、本実施例４に係る傘支持具１１は、図１に示した上記実施例１の傘支持具１１と基本的な構造は同一であり、また、使用方法も同一である。従って、重複を避けるため相違点についてのみ図示して説明する。
本実施例４に係る傘支持具１１は、図６に示すように、上記第一の係合部材１２及び上記第二の係合部材として使用される上記クリップ１７ａは、開閉可能な上記把持部１６ａを有し、上記把持部１６ａは略半円状に湾曲した一対のクリップ片１８ａにより構成されている。
しかしながら、上記把持部１６ａを開くための摘み部１９ａは一方にのみ設けられ，一本の指で操作しうるように構成されている。
【実施例５】
【００５７】
図７及び図８は実施例５に係る傘支持具１１を示したものである。
本実施例５に係る傘支持具１１も、傘に脱着可能に保持しうる第一の係合部材１２と、傘を保持する人の着用品に対し脱着可能に接合しうる第二の係合部材（図示は省略）と、上記第一の係合部材１２と上記第二の係合部材とを繋ぐ連結部材１４とを有し、上記連結部材１４は伸縮可能に構成されている。
即ち、本実施例５に係る傘支持具１１は、図１に示した上記実施例１の傘支持具１１と基本的な構造は同一であり、また、使用方法も同一である。従って、重複を避けるため相違点についてのみ図示して説明する。
本実施例５に係る傘支持具１１は、図７に示すように、上記第一の係合部材１２及び上記第二の係合部材として使用される上記クリップ１７ａの構造が、上記実施例１とは異なっている。
【００５８】
上記クリップ１７ａは、図７に示すように、基板２７と、上記基板２７に対し把持部１６ａが開閉可能なクリップ板２８とを有し、上記基板２７は平板状に形成され、上記クリップ板２８は、上記基板２７に対し傾斜するように配置された摘み部１９ａを有すると共に、上記把持部１６ａは湾曲した略半円状に形成されている。
【００５９】
また、上記クリップ１７ａは、図８に示すように、上記連結部材１４に対し回動可能に設けられ、上記把持部１６ａの向きを変化しうるように構成されている。
【実施例６】
【００６０】
図９は実施例６に係る傘支持具１１を示したものである。
本実施例６に係る傘支持具１１も、傘に脱着可能に保持しうる第一の係合部材１２と、傘を保持する人の着用品に対し脱着可能に接合しうる第二の係合部材１３と、上記第一の係合部材１２と上記第二の係合部材１３とを繋ぐ連結部材１４とを有して構成されている。
【００６１】
また、上記連結部材１４は、図９に示すように、伸縮可能に形成されている。
即ち、上記連結部材１４は、平面形状及び断面形状が方形で、中空の、径の異なる複数の構成部１５ａ，１５ｂ，１５ｃ，１５ｄ，１５ｅが径の大小順に連続的に配置されることにより構成されており、互いに隣接する構成部は小径構成部が大径構成部に対し出没可能に形成されている。
【００６２】
本実施例６においては、図９に示すように、上記第一の係合部材１２と上記第二の係合部材１３の構造が相違している。
即ち、上記第一の係合部材１２も上記第二の係合部材１３も、開閉可能な把持部１６ａ，１６ｂを有するクリップ１７ａ，１７ｂとして形成され、上記把持部１６ａ，１６ｂはバネ（図示せず）により閉方向へ付勢されているが、上記クリップ１７ａ，１７ｂを開くための装置が上記第一の係合部材１２と上記第二の係合部材１３では相違している。
即ち、上記第一の係合部材１２である上記クリップ１７ａを開くための装置としては、指で摘んで内方へ押圧することにより上記把持部１６ａを開くことができる摘み部１９ａが設けられているが、上記第二の係合部材１３である上記クリップ１７ｂを開くための装置としては、指先で押して操作するスライドボタン２９が設けられている。なお、上記スライドボタン２９はカム機構（図示せず）を利用して上記把持部１６ｂを開閉しうるように構成されている。
その他の構造及び使用方法は上記実施例１と同一である。
【実施例７】
【００６３】
図１０及び図１１は実施例７に係る傘支持具１１を示したものである。
本実施例７に係る傘支持具１１も、傘に脱着可能に保持しうる第一の係合部材１２と、傘を保持する人の着用品に対し脱着可能に接合しうる第二の係合部材１３と、上記第一の係合部材１２と上記第二の係合部材１３とを繋ぐ連結部材１４とを有して構成されている。
【００６４】
また、上記連結部材１４は、図１０に示すように、伸縮可能に形成されている。
本実施例７においては、上記連結部材１４に、図１０に示すように、柔軟性を有するストラップ状部材３０が使用されている。なお、上記ストラップ状部材３０の素材は自由であり、織糸、合成樹脂、金属線材等を使用可能である。
【００６５】
また、本実施例７においては、図１０に示すように、上記第一の係合部材１２と上記第二の係合部材１３の構造が同一で、共に開閉可能な把持部１６ａ，１６ｂを有する一対の半円状に形成されたクリップ片１８ａ，１８ｂを有するクリップ１７ａ，１７ｂとして形成されている。
なお、上記クリップ１７ａ，１７ｂの把持部１６ａ，１６ｂを開くための装置としては、上記実施例６と同様に、指先で押して操作するスライドボタン２９ａ，２９ｂが設けられている。
【００６６】
上記スライドボタン２９ａ，２９ｂは、上記クリップ１７ａ，１７ｂの取付部３１ａ，３１ｂに設けられ、上記取付部３１ａ，３１ｂは、図１１に示すように、内部に上記ストラップ状部材３０を収納可能に形成されている。
また、上記ストラップ状部材３０の両端に配置された上記取付部３１ａ，３１ｂは、図１１に示すように、互いに係合可能で合体しうるように構成されている。
なお、本実施例７に係る傘支持具１１の使用方法も上記実施例１と同一である。
【実施例８】
【００６７】
図１２は実施例８に係る傘支持具１１を示したものである。
本実施例８に係る傘支持具１１も、傘に脱着可能に保持しうる第一の係合部材１２と、傘を保持する人の着用品に対し脱着可能に接合しうる第二の係合部材１３と、上記第一の係合部材１２と上記第二の係合部材１３とを繋ぐ連結部材１４とを有して構成されているが、上記連結部材１４は上記第二の係合部材１３としても使用しうるように形成されている。即ち、上記連結部材１４は上記第二の係合部材１３を兼用している。
従って、特に、上記第二の係合部材１３を単独で設ける必要はない。
【００６８】
本実施例８においては、上記連結部材１４には、図１２に示すように、柔軟性を有するストラップ状部材３０が使用されている。上記ストラップ状部材３０の素材は自由であり、織糸、合成樹脂、金属線材等を使用可能である。
【００６９】
上記ストラップ状部材３０には、長さ方向に沿って移動可能なスライダ３２が設けられ、上記スライダ３２に折り返して輪状部３３を形成した上記ストラップ状部材３０の先端部３９が接合されている。なお、上記ストラップ状部材３０の先端部３９は上記スライダ３２に対し着脱可能に固定しうるように形成されている。
上記スライダ３２を、上記第一の係合部材１２の側へ移動させると上記連結部材１４を短縮することができ、反対側へ移動させると上記連結部材１４を伸長させることができる。
【００７０】
上記輪状部３３は、上記第二の係合部材１３として使用され、上記ストラップ状部材３０の先端部３９を上記スライダ３２から取り外して、傘を保持する人の着用品、例えばベルトに巻き付け、上記スライダ３２に固定して接合することができる。
【００７１】
また、本実施例８においては、図１２に示すように、上記第一の係合部材１２は、開閉可能な把持部１６ａを有する一対の半円状に形成されたクリップ片１８ａを有するクリップ１７ａに形成されている。
また、上記クリップ１７ａの把持部１６ａを開くための装置として、一対の摘み部１９ａが設けられている。
【実施例９】
【００７２】
図１３〜図１５は実施例９に係る傘支持具１１を示したものである。
本実施例９に係る傘支持具１１も、傘に脱着可能に保持しうる第一の係合部材１２と、傘を保持する人の着用品に対し脱着可能に接合しうる第二の係合部材１３と、上記第一の係合部材１２と上記第二の係合部材１３とを繋ぐ連結部材１４とを有して構成されている。
【００７３】
また、上記連結部材１４は、図１０に示すように、伸縮可能に形成されている。
本実施例９においては、上記連結部材１４は、図１３に示すように、複数枚のカード状部材５１ａ，５１ｂ，５１ｃと中空の箱状部材５８とにより構成され、上記カード状部材５１ａ，５１ｂ，５１ｃは、図１５に示すように、積層することにより短縮し、上記箱状部材５８の内部に収納しうるように構成されている。
【００７４】
また、上記第一の係合部材１２と上記第二の係合部材１３はクリップ１７ａ，１７ｂとして形成され、上記クリップ１７ａ，１７ｂは把持部１６ａ，１６ｂを有するクリップ板部５２ａ，５２ｂと、基板部５３ａ，５３ｂと、連結軸部５４ａ，５４ｂとにより構成され、上記クリップ板部５２ａ，５２ｂには上記把持部１６ａ，１６ｂを開く操作を行うための摘み部５５ａ，５５ｂが形成されている。
上記クリップ１７ａ，１７ｂは、上記連結軸部５４ａ，５４ｂを上記基板部５３ａ，５３ｂ内に没入させることにより、図１４に示すように、上記クリップ板部５２ａ，５２ｂの後縁部５６ａ，５６ｂを上記基板部５３ａ，５３ｂの前縁部５７ａ，５７ｂに接触させて上記カード状部材５１ａ，５１ｂ，５１ｃと同様にカード形に変化し、積層状態の上記カード状部材５１ａ，５１ｂ，５１ｃに更に積層して、図１５に示すように、上記箱状部材５８の内部に収納しうるように形成されている。
なお、本実施例９に係る傘支持具１１の使用方法も上記実施例１と同一である。
【実施例１０】
【００７５】
図１６及び図１７は実施例１０に係る傘支持具１１を示したものである。
本実施例１０に係る傘支持具１１も、傘に脱着可能に保持しうる第一の係合部材１２と、傘を保持する人の着用品に対し脱着可能に接合しうる第二の係合部材１３と、上記第一の係合部材１２と上記第二の係合部材１３とを繋ぐ連結部材１４とを有して構成されている。
【００７６】
また、上記連結部材１４は、図１６に示すように、蛇腹部６１を有し、伸縮可能に形成されている。
即ち、上記蛇腹部６１は、同一長さの複数本の棒状部材６２ａを後方へ傾斜させて平行に配置すると共に、上記棒状部材６２ａと同一長さの複数本の棒状部材６２ｂを前方へ傾斜させて平行に配置し、後傾した上記棒状部材６２ａと前傾した上記棒状部材６２ｂの交叉した中央部及び両端部を回動可能に連結することにより構成されている。
また、上記蛇腹部６１の両端には、図１７に示すように、短縮した状態の上記蛇腹部６１を内部に収納しうる基箱部６３ａ，６３ｂが設けられ、両端の上記基箱部６３ａ，６３ｂはマグネット部６４ａ，６４ｂにより接合しうるように構成されている。
【００７７】
また、上記第一の係合部材１２と上記第二の係合部材１３はクリップ１７ａ，１７ｂとして形成され、上記クリップ１７ａ，１７ｂは把持部１６ａ，１６ｂを有するクリップ片１８ａ，１８ｂと、上記クリップ片１８ａ，１８ｂを上記基箱部６３ａ，６３ｂに連結する軸部４０ａ，４０ｂとにより構成され、上記クリップ片１８ａ，１８ｂには上記把持部１６ａ，１６ｂを開く操作を行うための摘み部１９ａ，１９ｂが形成されている。
なお、本実施例１０に係る傘支持具１１の使用方法も上記実施例１と同一である。
【００７８】
以下、上記実施例の作用について説明する。
上記実施例に係る傘支持具１１は、図１〜図１７に示すように、傘２０に脱着可能に保持しうる第一の係合部材１２と、傘２０を保持する人の着用品に対し脱着可能に接合しうる第二の係合部材１３と、上記第一の係合部材１２と上記第二の係合部材１３とを繋ぐ連結部材１４とを有していることから、傘を保持する人の着用品に上記第二の係合部材１３を接合すると共に、上記第一の係合部材１２により傘２０を保持すれば、上記連結部材１４を介し、上記傘２０は人体の着用品に繋がれた状態となって支持され、倒れずに起立した状態を維持することができる。これにより両手を解放することができる。
【００７９】
また、上記連結部材１４は、図１及び図４〜図１７に示すように、伸縮可能に形成されていることから、上記連結部材１４を伸縮させることにより傘２０と人体との距離を調整し、傘を支持しやすい状態にすることができる。
【００８０】
また、上記実施例１〜実施例６に係る上記連結部材１４は、径の異なる複数の構成部１５ａ〜１５ｆが径の大小順に連続的に配置されて構成され、互いに隣接する構成部は小径構成部が大径構成部に対し出没可能に形成されていることから、上記小径構成部を上記大径構成部内に没入させることにより全長を短縮させることができ、逆に、上記小径構成部を上記大径構成部から突出させることにより全長を伸長させることができる。
【００８１】
また、上記実施例１〜実施例５、実施例７、実施例９及び実施例１０に係る上記第一の係合部材１２と上記第二の係合部材１３は同一の構造を有していることから、上記第一の係合部材１２と上記第二の係合部材１３のどちらを用いて傘２０を保持することもできるし、同じくどちらを用いて人の着用品に接合することもできる。
【００８２】
また、上記実施例１〜実施例７、実施例９及び実施例１０に係る上記第一の係合部材１２と上記第二の係合部材１３は、開閉可能な把持部１６ａ，１６ｂを有するクリップ１７ａ，１７ｂとして形成され、上記把持部１６ａ，１６ｂはバネにより閉方向へ付勢されていることから、上記クリップ１７ａ，１７ｂにおける上記把持部１６ａを開いて傘２０の握り部２１や覆布部４２を挟んだ後に上記把持部１６ａを閉じることにより傘２０を容易に保持することができる。
【００８３】
また、上記実施例１〜実施例４及び実施例６〜実施例８及び実施例１０に係る上記クリップ１７ａ，１７ｂは、上記把持部１６ａ，１６ｂが略半円状に湾曲した一対のクリップ片１８ａ，１８ｂにより構成されていることから、上記クリップ１７ａ，１７ｂの構造を極めてシンプルにすることができる。
【００８４】
また、上記実施例５に係る上記クリップ１７ａは、基板２７と、上記基板２７に対し把持部１６ａが開閉可能なクリップ板２８とを有し、上記基板２７は平板状に形成され、上記クリップ板２８は、上記基板２７に対し傾斜するように配置された摘み部１９ａを有すると共に、上記把持部１６ａは湾曲した略半円状に形成されていることから、傘２０を上記クリップ１７ａにより把持する場合に、傘２０に接触する面積が大きくなるため保持力が増大する。
【００８５】
また、上記実施例１、実施例２及び実施例５に係る上記クリップ１７ａ，１７ｂは、上記連結部材１４の端部において回動可能に設けられていることから、上記クリップ１７ａ，１７ｂを回転させることにより上記把持部１６ａ，１６ｂの向きを容易に変えることができる。
【００８６】
また、上記実施例３に係る上記クリップ１７ａ，１７ｂは、上記連結部材１４内に収納可能に形成されていることから、携帯時等に上記クリップ１７ａ，１７ｂを上記連結部材１４内に収納することにより全長を短縮してコンパクトな形状にすると共に、両端部のクリップ１７ａ，１７ｂを連結部材１４内に収納させることができるため、携帯性を向上させることができる。
【００８７】
また、上記実施例７及び実施例８に係る上記連結部材１４は、ストラップ状部材３０により形成されていることから、上記連結部材１４の構造が極めてシンプルで、より軽量であって、かつ、柔軟性を有し、使い易い。
【００８８】
また、上記実施例８に係る上記連結部材１４は、上記第二の係合部材１３としても使用可能に形成され、上記ストラップ状部材３０は傘を保持する人の着用品に対し巻き付けて固定しうるように形成されていることから、上記第二の係合部材１３を特に設ける必要がなく、構造をシンプルにすることができる。また、上記ストラップ状部材３０は傘２０を保持する人の着用品に対し巻き付けることにより上記第二の係合部材１３として上記着用品に容易に接合することができる。
【００８９】
また、上記実施例９に係る上記連結部材１４は、複数枚のカード状部材５１ａ，５１ｂ，５１ｃと、中空の箱状部材５８とにより構成され、上記カード状部材５１ａ，５１ｂ，５１ｃと、上記第一の係合部材１２及び上記第二の係合部材１３は互いに積層した状態で上記箱状部材５８の内部に収納しうるため、不使用時にコンパクトな形状に変形して利便良く携帯することができる。
【００９０】
また、上記実施例１０に係る上記連結部材１４は、伸縮可能な蛇腹部６１を有していることから、上記蛇腹部６１を変形させることにより、上記連結部材１４を容易に伸縮させることができる。
【産業上の利用可能性】
【００９１】
本考案は、手で支持しなくても、傘を倒れないように支持するための用具に適用可能である。
【図面の簡単な説明】
【００９２】
【図１】実施例１に係る傘支持具を示す斜視図である。
【図２】実施例１に係る傘支持具の使用状態を示す斜視図である。
【図３】実施例１に係る傘支持具の使用状態を示す斜視図である。
【図４】実施例２に係る傘支持具の一部を示す斜視図である。
【図５】実施例３に係る傘支持具の一部を示す斜視図である。
【図６】実施例４に係る傘支持具の一部を示す斜視図である。
【図７】実施例５に係る傘支持具の一部を示す斜視図である。
【図８】実施例５に係る傘支持具のクリップを回転した状態を示す一部斜視図である。
【図９】実施例６に係る傘支持具を示す平面図である。
【図１０】実施例７に係る傘支持具を示す平面図である。
【図１１】実施例７に係る傘支持具の連結部材を短縮した状態を示す平面図である。
【図１２】実施例８に係る傘支持具を示す平面図である。
【図１３】実施例９に係る傘支持具の斜視図である。
【図１４】実施例９に係る傘支持具のクリップを縮小した状態を示す斜視図である。
【図１５】実施例９に係る傘支持具の携帯時の形態を示す斜視図である。
【図１６】実施例９に係る傘支持具の平面図である。
【図１７】実施例９に係る傘支持具の連結部材を短縮した状態の平面図である。
【符号の説明】
【００９３】
１１  傘支持具
１２  第一の係合部材
１３  第二の係合部材
１４  連結部材
１５（ａ〜ｆ）  構成部
１６ａ，１６ｂ  把持部
１７ａ，１７ｂ  クリップ
１８ａ，１８ｂ  クリップ片
１９ａ，１９ｂ  摘み部
２０  傘
２１  握り部
２２  ベルト通し
２３  座席
２４  鞄
２５  ユニバーサルジョイント
２６ａ，２６ｂ  中空部
２７  基板
２８  クリップ板
２９ａ，２９ｂ  スライドボタン
３０  ストラップ状部材
３１ａ，３１ｂ  取付部
３２  スライダ
３３  輪状部
３９  先端部
４０ａ，４０ｂ  軸部
４１ａ，４２ｂ  弾性部材
４２  覆布部
５１ａ，５１ｂ，５１ｃ  カード状部材
５２ａ，５２ｂ  クリップ板部
５３ａ，５３ｂ  基板部
５４ａ，５４ｂ  連結軸部
５５ａ，５５ｂ  後縁部
５６ａ，５６ｂ  前縁部
５７ａ，５７ｂ  摘み部
５８  箱状部
６１  蛇腹部
６２ａ，６２ｂ  棒状部材
６３ａ，６３ｂ  基箱部
６４ａ，６４ｂ  マグネット部
【図１】
0003113960.tif 000003
【図２】
0003113960.tif 000004
【図３】
0003113960.tif 000005
【図４】
0003113960.tif 000006
【図５】
0003113960.tif 000007
【図６】
0003113960.tif 000008
【図７】
0003113960.tif 000009
【図８】
0003113960.tif 000010
【図９】
0003113960.tif 000011
【図１０】
0003113960.tif 000012
【図１１】
0003113960.tif 000013
【図１２】
0003113960.tif 000014
【図１３】
0003113960.tif 000015
【図１４】
0003113960.tif 000016
【図１５】
0003113960.tif 000017
【図１６】
0003113960.tif 000018
【図１７】
0003113960.tif 000019